【手続補正書】
【提出日】平成17年8月29日(2005.8.29)
【手続補正１】
【補正対象書類名】明細書
【補正対象項目名】発明の名称
【補正方法】変更
【補正の内容】
【発明の名称】プリント基板の接続方法及び電子機器
【手続補正２】
【補正対象書類名】明細書
【補正対象項目名】特許請求の範囲
【補正方法】変更
【補正の内容】
【特許請求の範囲】
【請求項１】  リードフレームにタイバー部を介して形成されたリード部における端部と、第１プリント基板上面に形成された該端部に対応する位置に設けられた接続パッドを固着することによって、前記リード部を前記第１プリント基板に取り付ける取り付け段階と、
前記リード部の端部が前記接続パッドに固着された後、前記タイバー部を切除して、前記リード部を前記リードフレームから分離するリード部分離段階と、
前記リード部における他端部が前記第１プリント基板上方に配置される第２プリント基板に穿孔されたスルーホールに向く位置で、該リード部を折り曲げフォーミングするフォーミング段階と、
前記リード部の前記他端部を前記第２プリント基板の前記スルーホールに挿入して、前記第１プリント基板と前記第２プリント基板を電気的に接続する接続段階と、を有するプリント基板の接続方法。
【請求項２】  前記フォーミング段階において、前記リード部は、前記他端部の方向が前記第２プリント基板の前記スルーホールの位置からズレを有する折り曲げ角度でフォーミングされ、
前記接続段階において、前記フォーミングされた前記リード部を治具で押さえて前記ズレを修正した後に、該リード部の前記他端部を前記第２プリント基板の前記スルーホールに挿入し、前記治具を外すことを特徴とする請求項１に記載のプリント基板の接続方法。
【請求項３】  第１リード部と第２リード部とが分離されて、前記リードフレームにそれぞれタイバー部を介して形成され、前記第２プリント基板に該第１リード部の他端部と該第２リード部の他端部とに対応した第１及び第２スルーホールが設けられている場合であって、前記第１リード部の前記他端部が前記第２リード部の前記他端部より長く形成され、
前記フォーミング段階において、前記第１リード部を、該第１リード部の他端部の方向が前記第２プリント基板の前記第１スルーホールの位置に向く折り曲げ角度でフォーミングされ、前記第２リード部を、該第２リード部の他端部の方向が前記第２プリント基板の前記第２スルーホールの位置からズレを有する折り曲げ角度でフォーミングされ、
前記接続段階において、前記第１リード部の前記他端部を前記第２プリントの前記スルーホールに挿入した後に、前記第２リード部を治具で押さえて前記ズレを修正した後に、該第２リード部の前記他端部を前記第２プリント基板の前記第２スルーホールに挿入し、前記治具を外すことを特徴とする請求項２に記載のプリント基板の接続方法。
【請求項４】  第１プリント基板と、
前記第１プリント基板の上方に所定間隔を置いて配置される第２プリント基板と、
前記第１プリント基板の上面に設けられた接続パッドに固着される端部及び前記第２プリント基板に設けられたスルーホールに挿入される他端部を有するリード部と、を備え、
前記リード部は、前記第１プリント基板の上方に向けて前記スルーホールの位置で折り曲げられており、前記他端部が前記スルーホールに挿入されて前記第１プリント基板と前記第２プリント基板とを電気的に接続する電子機器。
【請求項５】  前記リード部は、前記他端部の方向が前記第２プリント基板の前記スルーホールの位置からズレを有して折り曲げ形成され、
前記リード部の前記先端部が前記ズレを修正されて前記スルーホールに挿入され、前記第１プリント基板と前記第２プリント基板とが電気的に接続されることを特徴とする請求項４に記載の電子機器。
【請求項６】  前記第２プリント基板に穿孔された第１及び第２スルーホールに対応して、第１リード部と第２リード部とが離れて配置され、
前記第１リード部の前記他端部が前記第２リード部の前記他端部より長く形成され、
前記第１リード部は、該第１リード部の他端部の方向が前記第２プリント基板の前記第１スルーホールの位置に向いて折り曲げ形成され、
前記第２リード部は、該第２リード部の他端部の方向が前記第２プリント基板の前記第２スルーホールの位置からズレを有して折り曲げ形成され、
前記第１リード部の前記他端部は、前記第１スルーホールに挿入され、前記第２リード部の前記他端部は、前記ズレが修正されて前記第２スルーホールに挿入され、前記第１プリント基板と前記第２プリント基板とが電気的に接続されることを特徴とする請求項５に記載の電子機器。
【手続補正３】
【補正対象書類名】明細書
【補正対象項目名】０００１
【補正方法】変更
【補正の内容】
【０００１】
【発明の属する技術分野】
本発明は、プリン卜基板の接続方法及び電子機器に係り、特に、積層配置されるプリン卜基板の接続方法であり、該接続方法により接続された電力用と制御用のプリント基板を備えた電子機器に関する。
【手続補正４】
【補正対象書類名】明細書
【補正対象項目名】００１５
【補正方法】変更
【補正の内容】
【００１５】
本発明は、上記課題に鑑みなされたもので、簡易かつ精度よくプリント基板を積層して接続することの可能なプリン卜基板の接続方法と、該接続方法により積層して接続されたプリント基板を備えた電子機器とを提供することを目的とする。
【手続補正５】
【補正対象書類名】明細書
【補正対象項目名】００１６
【補正方法】変更
【補正の内容】
【００１６】
【課題を解決するための手段】
本発明に係るプリント基板の接続方法は、リードフレームにタイバー部を介して形成されたリード部における端部と、第１プリント基板上面に形成された該端部に対応する位置に設けられた接続パッドとをそれぞれ固着することによって、前記リード部を前記第１プリント基板に取り付ける取り付け段階と、前記リード部の端部が前記接続パッドに固着された後、前記タイバー部を切除して、前記リード部を前記リードフレームから分離するリード部分離段階と、前記リード部における他端部を前記第１プリント基板上方に向くように、該リード部の折り曲げによりフォーミングするフォーミング段階と、前記リード部の前記他端部を第２プリント基板に穿孔されたスルーホールに挿入した後に、前記リード部の前記他端部を前記スルーホールに固着することによって、前記第１プリント基板と前記第２プリント基板を電気的に接続する接続段階と、を有している。
【手続補正６】
【補正対象書類名】明細書
【補正対象項目名】００１７
【補正方法】変更
【補正の内容】
【００１７】
また、本発明に係る電子機器は、第１プリント基板と、該第１プリント基板の上方に所定間隔を置いて配置される第２プリント基板と、前記第１プリント基板の上面に設けられた接続パッドに固着される端部及び前記第２プリント基板に設けられたスルーホールに挿入される他端部を有するリード部と、を備え、前記リード部は、前記第１プリント基板の上方に向けて前記スルーホールの位置で折り曲げられており、前記他端部が前記スルーホールにそれぞれ挿入されて前記第１プリント基板と前記第２プリント基板とを電気的に接続するようにした。
【手続補正７】
【補正対象書類名】明細書
【補正対象項目名】００１９
【補正方法】変更
【補正の内容】
【００１９】
ベース２０はアルミニウム鋳造製品であって、密着して取り付けられる電力基板が発生する熱を放散するとともに、電力基板２１、制御基板２２及び蓋２３が固定される。